(57)【要約】【課題】できるだけ少ない負担で顧客の満足度が高いポーズ画像を数多く準備されているポーズ写真処理システムを提供する。【解決手段】ポーズガイド画像と、デジタルカメラ１によって連続的に生成される撮影中画像とを対比することで被写体の適正ポージングを支援する機能を有するポーズ写真処理システム。ポーズガイド画像を検索抽出可能に格納するポーズガイド画像格納部と、モニタに表示される特定のポーズガイド画像を選択するポーズガイド画像選択部と、撮影中画像における特定画像（ナイスポーズ画像）を取り込んでポーズガイド画像の形式に加工し、加工された当該特定画像を新規ポーズガイド画像としてポーズガイド画像格納部に登録する新規ポーズガイド画像登録処理部が備えられている。【選択図】図２
2011061452.tif 000002
【特許請求の範囲】
【請求項１】
モニタに表示されたポーズガイド画像と、デジタルカメラによって連続的に生成される撮影中画像とを対比することで被写体の適正ポージングを支援する機能を有するポーズ写真処理システムであって、
前記ポーズガイド画像を検索抽出可能に格納するポーズガイド画像格納部と、
前記モニタに表示される特定のポーズガイド画像を選択するポーズガイド画像選択部と、
前記撮影中画像における特定画像（ナイスポーズ画像）を取り込んでポーズガイド画像の形式に加工し、加工された当該特定画像を新規ポーズガイド画像として前記ポーズガイド画像格納部に登録する新規ポーズガイド画像登録処理部と、
が備えられているポーズ写真処理システム。
【請求項２】
前記撮影中画像と前記ポーズガイド画像の対比のために、前記ポーズガイド画像と前記撮影中画像とが合成されて前記モニタに表示される請求項１に記載のポーズ写真処理システム。
【請求項３】
前記ポーズガイド画像が被写体の特定ポーズを規定可能な輪郭抽出画像である請求項１又は２に記載のポーズ写真処理システム。
【請求項４】
前記新規ポーズガイド画像登録処理部が、取り込んだ撮影中画像から前記輪郭抽出画像を生成するポーズガイド画像生成部を備えている請求項３に記載のポーズ写真処理システム。
【請求項５】
前記新規ポーズガイド画像登録処理部が、前記撮影中画像から人の顔領域を検出する顔検出部と、検出された顔領域を不明瞭可視化する顔画像処理部とを備えている請求項１から４のいずれか一項に記載のポーズ写真処理システム。
【発明の詳細な説明】
【技術分野】
【０００１】
本発明は、モニタに表示されたポーズガイド画像と、デジタルカメラによって連続的に生成される撮影中画像とを対比することで被写体の適正ポージングを支援する機能を有するポーズ写真処理システムに関する。
【背景技術】
【０００２】
被写体を美しく見せるポーズで被写体を撮影して作製されるポーズ写真は、適正なポーズの選択、さらにはその背景や照明の選択も重要であり、高品質の写真を撮るにはカメラマンに高い習熟度が要求される。しかしながら、写真プリントショップなどでは、ポーズ撮影の機会もそれほど多くないといったことから、高い習熟度をもつカメラマンが常駐しているわけではない。従って、そのようなポーズ撮影においては、ポーズのみならず、場合によっては背景や照明等も適切に設定しなければならないことから、その設定に時間がかかり、撮影に長時間を要するという問題点があるばかりか、それにもかかわらず仕上げられた写真プリントに顧客が満足しないことも少なくない。そのため、習熟度が高くないカメラマンでも顧客が満足するポーズ写真が提供できるように、ポーズ撮影を支援する写真撮影用ポーズコントローラが提案されている（例えば、特許文献１）。この写真撮影用ポーズコントローラは、撮影テーマ（撮影の種類）ごとに予め用意された複数のポーズ画像及び各ポーズに対応する撮影条件を記憶するメモリと、このメモリに記憶されたポーズを撮影テーマごとに画像として表示するポーズ表示部と、このポーズ表示部によって表示された複数のポーズ画像の中から好みのポーズ画像を選択するための選択手段と、選択されたポーズ画像に対応する撮影条件を出力する撮影条件出力部とを備えている。そして、七五三、宮参りなど撮影テーマに応じて予め複数のポーズ画像を用意してメモリ（ポーズ記憶部）に記録しておき、実際の撮影に際して複数のポーズ画像を客に提示して、その中から希望するポーズ画像を選択してもらう。このため、顧客が予めポーズ写真を予想することができ、客の満足度を向上させることができる。また、顧客が希望するポーズ画像が決まれば、そのポーズ画像を参照しながらポーズを決めていくことができるので、ポーズ撮影がスムーズとなる。
【先行技術文献】
【特許文献】
【０００３】
【特許文献１】特開２００２−８４４３７号公報（段落番号〔０００１〕―〔０００６〕、〔００１６〕、図１）
【発明の概要】
【発明が解決しようとする課題】
【０００４】
上述したようなポーズ写真を作製するためのポーズ撮影支援装置では、顧客またはカメラマンあるいは両者によって選択されるポーズの種類は、予めポーズ記憶部に登録されたポーズ画像の数だけとなる。利用できるポーズ画像を増やすためには、予め別途に撮影した撮影画像を登録ポーズ画像として登録する必要がある。しかしながら、適正と評価されるポーズは、被写体となる人の体格や体形、あるいはその人の性格などによっても異なり、単一のモデルを用いたポーズ画像だけを用意するだけでは、顧客を必ずしも満足させることができない。特に、リピータとなる顧客は、体格や体形が自分に似ているモデルでのポーズ画像の種類が多いことを望むため、多くの顧客から満足されるポーズ画像を用意することは負担が大きくなる。
従って、本発明の目的は、上記実情に鑑み、できるだけ少ない負担で顧客の満足度が高いポーズ画像を数多く準備されているポーズ写真処理システムを提供することである。
【課題を解決するための手段】
【０００５】
モニタに表示されたポーズガイド画像と、デジタルカメラによって連続的に生成される撮影中画像とを対比することで被写体の適正ポージングを支援する機能を有するポーズ写真処理システムにおいて、上記目的を達成するため、本発明では、前記ポーズガイド画像を検索抽出可能に格納するポーズガイド画像格納部と、前記モニタに表示される特定のポーズガイド画像を選択するポーズガイド画像選択部と、前記撮影中画像における特定画像（ナイスポーズ画像）を取り込んでポーズガイド画像の形式に加工し、加工された当該特定画像を新規ポーズガイド画像として前記ポーズガイド画像格納部に登録する新規ポーズガイド画像登録処理部とが備えられている。
【０００６】
この構成によると、ポーズ撮影中に良いポーズが作られたら、そのポーズのカメラ画像である撮影中画像（一般にはファインダー画像と呼ばれている）を取り込み、新規のポーズガイド画像として加工され、ポーズガイド画像格納部に登録される。この登録された新規ポーズガイド画像は次回からは選択可能なポーズガイド画像（ポーズ見本）として利用できる。つまり、この構成では、偶然にせよ良いポーズが作り出されたら、そのポーズを撮影した画像が新規のポーズガイド画像として登録されるので、気に入りのポーズが簡単にかつ効率的に蓄積されていく。
【０００７】
本発明の好適な実施形態の１つでは、前記撮影中画像と前記ポーズガイド画像の対比のために、前記ポーズガイド画像と前記撮影中画像とが合成されて前記モニタに表示される。この構成では、モニタ画面に、撮影に用いているカメラの、いわゆるファインダ画像とポーズガイド画像との合成画像が表示されるので、ファインダ画像に含まれている実際の被写体のポーズと、ポーズガイド画像における目標とするポーズを効果的に比較することができる。その際、よりポージングにおけるポーズチェックを容易にするためポーズガイド画像が特定ポーズを規定可能な輪郭抽出画像で構成されていると好都合である。撮影中画像（ファインダ画像）に含まれている被写体の像をその輪郭抽出画像に沿わせるようにポージングするだけで、目標となるポーズが実現することになる。そのような場合には、新規にポーズガイド画像として登録する撮影中画像も輪郭抽出画像に変換する必要がある。そのため、好適な実施形態の１つでは、前記新規ポーズガイド画像登録処理部が、取り込んだ撮影中画像から前記輪郭抽出画像を生成するポーズガイド画像生成部を備えている。
【０００８】
顧客である一般人のポーズ撮影中に得られたナイスポーズ画像を新規ポーズガイド画像として登録する場合、顔によりその本人が特定されるとプライバシー上の問題が生じる。この問題を避けるため、本発明による好適な実施形態の１つでは、前記新規ポーズガイド画像登録処理部が、前記撮影中画像から人の顔領域を検出する顔検出部と、検出された顔領域を不明瞭可視化する顔画像処理部とを備えている。
【図面の簡単な説明】
【０００９】
【図１】本発明によるポーズ写真処理システムを用いたスタジオ撮影の様子を示す斜視図である。
【図２】本発明によるポーズ写真処理システムの基本的な操作とデータのながれを説明する模式図である。
【図３】ポーズ写真処理システムにおけるコントローラの機能ブロック図である。
【図４】新規ポーズガイド画像登録処理を示す流れ図である。
【発明を実施するための形態】
【００１０】
以下、本発明の実施の形態を図面に基づいて説明する。図１には、本発明によるポーズ写真処理システムが設置された撮影スタジオにおけるポーズ撮影の様子が示されている。この撮影スタジオには、ポーズ写真処理システムにおける撮影装置としてのデジタルカメラ１、ポーズ写真処理システムの制御装置としてコンピュータによって構成されているコントローラ２、画像データを格納する画像格納部３としてのハードディスク、ここでは液晶ディスプレイによって構成されている各種画像を表示するモニタ５、マニュアル入力操作を行うための操作入力デバイス４としてのキーボードやマウス、照明装置６、背景設備７などが配備されている。デジタルカメラ１は、コントローラ２とデータ伝送可能に接続されており、シャッターを押すことによって生成される撮影画像（以下単に撮影画像と称する）だけでなく、撮影中のファインダ画像として常時生成される撮影中画像データ（以下単に撮影中画像と称する）もコントローラ２に転送される。したがって、モニタ５には撮影した写真を確認するための撮影画像だけでなく、撮影中のカメラ視野を外部から確認するためのファインダ画像である撮影中画像も表示されるので、撮影者のみならず被写体となっている人物やそれ以外の第三者も被写体がどのようなポーズをとっているのかを知ることができる。
【００１１】
照明装置６は、一般的な撮影スタジオで用いられている設備であり、コントローラ２によって制御されるような構成、またはコントローラ２から独立して制御される構成あるいはその両方の構成を採用することが可能である。ここでは、基本的な設定はコントローラ２によって自動的に行われ、その後、被写体にポーズをつけながら最適な照明状態が得られるようにマニュアル調整される。いずれにせよ、照明装置６で設定された調整情報はコントローラ２に送られる。
【００１２】
背景設備７は、ここでは、クロマキー合成を行うための背景としての巻き出しタイプのブルー（又はグリーンなど）単色のシート体である。これによって撮影画像中に含まれる単色の背景画像が選択可能となり、これを別な背景画像と入れ替えることができる。従って、画像格納部としてのハードディスク３には、クロマキー合成において入れ替えるための多種の背景画像も、後で説明するポーズガイド画像とともに格納されている。
【００１３】
この撮影スタジオは、一般的な写真プリントショップの一角に形成されており、そのショップの従業員によって顧客である被写体に対するポーズ撮影が行われる。つまり、撮影者は、必ずしもプロフェショナルなカメラマンではないため、本発明のポーズ写真処理システムによって提供されるポーズ撮影ガイダンスを受け、このガイダンスに基づいて被写体にポーズをつけて、ポーズ撮影を行う。ポーズ撮影ガイダンスは、モニタ５に表示されるポーズガイド画像の形で提供されるが、そのポーズガイド画像の代表的なものは参考ポーズである。この参考ポーズは適切なポーズをとったモデルの輪郭を明確に示すものであり、この参考ポーズと同一なポーズを被写体につけることで、優れたポーズ写真が簡単に作製することが可能となる。
【００１４】
参考ポーズを含むポーズガイド画像は、ここではハードディスクで構築された画像格納部３に予め格納されているが、予め記録しておくポーズガイド画像の数には限界がある。また、参考ポーズを格納していたとしても、各顧客にとって適切なポーズは、その顧客の体形や年令によっても異なるし、なによりも、顧客の好みを優先する必要がある。このため、このシステムでは、以下で、詳しく説明するように、参考ポーズ基準としながらも、より適切なポーズが撮影中に見つかった場合、その撮影画像を取得して、新たなポーズガイド画像として登録することができる。
【００１５】
次に、図２を用いて、ポーズ写真処理システムにおける、上述したポーズガイド画像を新規に登録する処理を含む基本的な操作とデータの流れを説明する。
まず、顧客の希望する最終的な写真プリントのイメージを聞いて、その撮影テーマを設定する（＃０１）。例えば、「ハワイの浜辺で旅情を感じているシーン」が撮影テーマと設定されると、画像格納部３から、その撮影テーマに適した背景画像とポーズガイド画像が抽出される（＃０２ａ、＃０２ｂ）。その際、撮影テーマに適した背景画像とポーズガイド画像の最終的な選択は顧客の判断が必要であるので、撮影テーマに適した背景画像とポーズガイド画像の縮小画像(サムネイル画像)が複数種類読み出され、これらの画像をモニタ５に選択可能に一覧表示される。最終的に選択された背景画像とポーズガイド画像はコントローラ２に転送され、ワーキングメモリに展開される。
【００１６】
ポージングしながらのスタジオ撮影が開始すると、カメラ１で生成された撮影中画像（ファインダ画像）がコントローラ２に転送され、ポーズガイド画像と対比可能なポーズチェック画像としてモニタ５に表示される（＃０４）。ここでのポーズチェック画像は、ポーズガイド画像としての輪郭強調された目標ポーズ画像であり、この目標ポーズ画像は撮影中画像に重畳表示される。その際、目標ポーズ画像ないしは撮影中画像のうち上側にくる画像を半透明化すると、ポーズチェック画像として好適なものとなる。あるいは、目標ポーズ画像が線以外を透明化した線画として生成されていてもよい。
【００１７】
モニタ５でポーズチェック画像を見ながらポーズチェックが行われるが、図示されていないが、被写体となっている顧客からも見える大型画面のモニタが別に用意されていると、顧客もポーズチェックに参加できるので、好都合である。このポーズチェックでは、目標ポーズと、リアルタイムの被写体のポーズとの一致を目標としているので、その一致が成立すれば、シャッターチャンスであるので、シャッター指示がなされ、カメラ１のシャッター動作が行われる（＃０５）。
【００１８】
シャッター動作がなされると、撮影画像が生成される（＃０６）。生成された撮影画像はコントローラ２に転送され、クロマキー処理によって背景と分離された人物画像が切り出し画像として撮影画像から切り出され（＃０７）、切り出し画像は背景画像と合成処理される（＃０８）。得られた合成画像は写真プリントに適する通常の画像処理を施され、最終的なプリント画像用画像データとなる（＃０９）。プリント画像用画像データは、プリンタ８を動作させるために適したプリントデータに変換され、プリンタ８に転送され、所望の写真プリントが出力される（＃１０）。
【００１９】
なお、ステップ＃０４のポーズチェックにおいて必ずしも、目標ポーズと、リアルタイムの被写体のポーズとが一致していなくても、よい写真となると思われる美しいポーズや顧客が気に入ったポーズ、つまりナイスポーズが作り出される場合がある。そのようなナイスポーズは、今後のポーズ撮影のための目標ポーズとなるべく画像格納部３に登録しておくと好都合である。このため、このポーズ写真処理システムでは、ナイスポーズと判定された場合（＃０４ａ）、このナイスポーズを新規のポーズガイド画像として画像格納部３に登録する新規ポーズガイド画像登録処理が行われる（＃５０）。したがって、偶然であったとしても、ナイスポーズが作り出されると、そのナイスポーズが新規のポーズガイド画像として画像格納部３に登録されるので、撮影テーマ毎に、そして顧客の趣味や、顧客の年令、体形で区分け可能な、使い勝手のよいポーズガイド画像が簡単に蓄積されていく。
【００２０】
なお、ポージングしながらのスタジオ撮影では、ナイスポーズが作り出せない限り（＃０４ｂ）、前述したステップ＃０５のポーズ一致を目指すことになり、ステップ＃０３、＃０４、＃０４ａ、＃０４ｂ、＃０５を繰り返すことになる。
【００２１】
上述した、新規ポーズガイド画像登録処理を含むポーズ撮影を実現するために適したコントローラ２の具体的な構成が、図３に示されている。図３の機能ブロック図では、パソコンであるこのコントローラ２に構築される機能は本発明に関連する主な機能だけが示されており、これらはソフトウエアまたはハードウエアあるいはその両方で作り出すことが可能である。ここでは、ポーズ写真処理システムの主な特徴を作り出す機能部として、ワーキングメモリとして利用されるメモリ２０、画像合成部２１、クロマキー処理部２２、モニタ５への表示画像データを生成する表示画像生成部２３、最終的なプリント画像からプリンタ８へのプリントデータを生成するプリントデータ生成部２４、ポーズガイド画像選択部２５、新規ポーズ画像登録処理部２６などが挙げられる。
【００２２】
ポーズガイド画像選択部２５は、設定された撮影テーマに基づいて画像格納部３から適合するポーズガイド画像を抽出してモニタ５に一覧表示し、その中から使用するポーズガイド画像を選択する機能を有し、通常は顧客が、モニタ５に一覧表示されたポーズガイド画像から選択指示を与える。
【００２３】
新規ポーズガイド画像登録処理部２６は、撮影中画像（ファインダ画像）における特定画像（ナイスポーズ画像）を取り込んでポーズガイド画像の形式に加工し、加工された当該特定画像を新規ポーズガイド画像として画像格納部３に登録する機能を有する。なお、撮影中画像としてのファインダ画像の解像度や階調度は撮影画像に較べて低いため、このファインダ画像がポーズガイド画像のために不十分な場合、ナイスポーズが判定された時点で、カメラ１のシャッターを動作させることで撮影画像を生成させて、その撮影画像をポーズガイド画像として利用するような構成を採用してもよい。
【００２４】
この実施形態では、新規ポーズガイド画像登録処理部２６は、顔検出部２６ａと、顔画像処理部２６ｂと、ポーズガイド画像生成部２６ｃを備えている。顔検出部２６は、公知の顔検出アルゴリズムを有しており、画像における人の顔を検出し、検出した顔の数、サイズ、各顔領域の画像における座標値などを含む顔検出情報を生成する。顔画像処理部２６ｂは、顔検出情報に基づいて得られる画像中の顔領域に対してぼかしフィルタなどにより不鮮明化処理を施し、画像中の人物が特定できないようにする機能を有する。ポーズガイド画像生成部２６ｃは、新規ポーズガイド画像登録目的で取り込まれたナイスポーズ画像における被写体である人物の特定ポーズを規定できる輪郭抽出画像を生成するものである。このような人物のための輪郭抽出画像としては、エッジ検出フィルタを利用することで体形の輪郭や顔の相や衣装の稜線などが強調された画像や、線タッチ化された完全な線画画像などを採用することができる。
【００２５】
上述した新規ポーズガイド画像登録処理部２６を含むコントローラ２によって実行される、新規ポーズガイド画像登録処理（図２のステップ＃５０）を図４の流れ図を用いて説明する。
ポーズ撮影中に「ナイスポーズ」と判定されると、操作入力デバイス４の操作を通じて、カメラ１からナイスポーズ撮影画像（ファインダ画像（低解像度）又は撮影画像（高解像度）が取得され、メモリ２０に展開される（＃５１）。メモリ２０に展開されたナイスポーズ撮影画像）に対してクロマキー処理部２２によって人物領域画像を抽出する（＃５２）。抽出された人物領域画像に対して顔検出部２６ａが顔検出を行い、生成した顔検出情報を顔画像処理部２６ｂに出力する（＃５３）。顔検出情報に記述されている顔領域の座標値に基づいて顔領域だけを処理対象として選択される（＃５４）。この選択領域に対してぼかし処理やモザイク処理といった不鮮明化処理を行う（＃５５）。この不鮮明化処理によって、この人物の特定が不可能となる。不鮮明化処理された顔領域をもつ人物画像全体に対して輪郭検出処理を行い、この人物絵を線描化した線画を新規ポーズガイド画像のポーズ画像として生成する（＃５６）。ポーズガイド画像がポーズ画像だけで構成されている場合にはポーズ画像をそのままポーズガイド画像とするが、ポーズ画像になんらかのガイダンスメッセージ等を付加する場合には、適当なガイダンスメッセージをポーズ画像に付け加える。さらに、このポーズガイド画像は、画像格納部３に新規登録されるレコードとして、そのポーズが生まれた特定撮影テーマや被写体である顧客の情報(被写体情報)とリンクされた後、画像格納部３に格納される。これにより、これ以後のポーズ撮影においてこの特定テーマが選択された場合には、このポーズガイド画像が選択対象として一覧表示画像の１つとしてモニタ５に表示される。さらに、この顧客がリピータとしてこのショップを訪れてポーズ撮影を希望した場合には、以前の気に入ったポーズとして先に登録したポーズガイド画像を見ることができる。
【００２６】
〔別実施形態〕
（１）画像格納部３に格納されるポーズガイド画像のレコードに、照明装置６の設定状態を含ませておき、照明装置６をそこに規定されているように設定することで、ポーズガイド画像に基づくポージングと写真撮影の状況をさらに最適なものにすることでできる。
（２）上述した実施形態では、ポーズ写真はスタジオで撮った人物と予め画像格納部３に格納されている背景との合成写真であったが、もちろん、背景設備７によって適切な背景をスタジオ側で設定して、背景も含めたポーズ写真をスタジオで撮影してもよい。
（３）上述した実施形態では、被写体としてポーズをとる人物が顧客で、それをカメラ撮影するポーズ写真処理システムのオペレータがショップの従業員であった。しかしながら、カメラ１を含むポーズ写真処理システムの操作をリモコン操作式とし、被写体としてポーズをとる人物が、ポーズ写真処理システムを操作して、ポーズ写真を作製し、さらに気に入ったポーズは新規に登録できる構成にすることも可能である。
【符号の説明】
【００２７】
１：カメラ
２：コントローラ
３：画像格納部（ポーズガイド画像格納部）
５：モニタ
６：照明装置
８：プリンタ
２１：画像合成部
２２：クロマキー処理部
２３：表示画像生成部
２４：プリントデータ生成部
２５：ポーズガイド画像選択部
２６：新規ポーズガイド画像登録処理部
２６ａ：顔検出部
２６ｂ：顔画像処理部
２６ｃ：ポーズガイド画像生成部
【図１】
2011061452.tif 000003
【図２】
2011061452.tif 000004
【図３】
2011061452.tif 000005
【図４】
2011061452.tif 000006